(57)【特許請求の範囲】
【請求項１】
ＣＰＵと、該ＣＰＵと通信を行うハードディスクとを備え、該ハードディスクに低圧電源から電圧が供給される記憶装置であって、
前記低圧電源の電圧を検知する電圧検知手段と、
該電圧検知手段で検知した電圧が前記ＣＰＵのリセット電圧より高い所定電圧を下回った時刻を記憶する電圧低下時刻計測手段と、
前記低圧電源の電圧が正規の電圧に回復した時刻を記憶する電圧回復時刻計測手段と、
前記電圧低下時刻計測手段で記憶された時刻から前記電圧回復時刻計測手段で記憶された時刻までの時間が予め定めた第１の閾値から予め定めた第２の閾値の範囲内であると前記ハードディスクが異常であると判別するハードディスク異常判別手段とを備えることを特徴とする記憶装置。
【請求項２】
前記ハードディスク異常判別手段が前記ハードディスクが異常であると判別すると、前記ハードディスクに電源再投入を行う電源再投入手段を備えることを特徴とする請求項１に記載の記憶装置。
【請求項３】
請求項１又は２に記載の記憶装置を備えることを特徴とする画像形成装置。
【請求項４】
ＣＰＵと通信を行うハードディスクの瞬停による異常を検出方法であって、
該ハードディスクに供給される低圧電源の電圧を検知する電圧検知ステップと、
該電圧検知ステップで検知した電圧が前記ＣＰＵのリセット電圧より高い所定電圧を下回った時刻を記憶する電圧低下時刻計測ステップと、
前記低圧電源の電圧が正規の電圧に回復した時刻を記憶する電圧回復時刻計測ステップと、
前記電圧低下時刻計測ステップで記憶された時刻から前記電圧回復時刻計測ステップで記憶された時刻までの時間が予め定めた第１の閾値から予め定めた第２の閾値の範囲内であると前記ハードディスクが異常であると判別するハードディスク異常判別ステップとを備えることを特徴とするハードディスクの瞬停による異常を検出方法。
【請求項５】
ＣＰＵと通信を行うハードディスクの瞬停による異常回復方法であって、
該ハードディスクに供給される低圧電源の電圧を検知する電圧検知ステップと、
該電圧検知ステップで検知した電圧が前記ＣＰＵのリセット電圧より高い所定電圧を下回った時刻を記憶する電圧低下時刻計測ステップと、
前記低圧電源の電圧が正規の電圧に回復した時刻を記憶する電圧回復時刻計測ステップと、
前記電圧低下時刻計測ステップで記憶された時刻から前記電圧回復時刻計測ステップで記憶された時刻までの時間が予め定めた第１の閾値から予め定めた第２の閾値の範囲内であると前記ハードディスクが異常であると判別するハードディスク異常判別ステップと、
該ハードディスク異常判別ステップで前記ハードディスクが異常であると判別すると、前記ハードディスクに電源再投入を行う電源再投入ステップとを備えることを特徴とするハードディスクの瞬停による異常回復方法。
【発明の詳細な説明】
【技術分野】
【０００１】
本発明は、ハードディスクの瞬時停電（以下瞬停という）による異常の検出方法に関する。
【背景技術】
【０００２】
瞬停でハードディスクに生じる問題を解決するための発明としては、下記の特許文献１〜４に記載のものが開示されている。
【０００３】
下記の特許文献１では、印刷装置に供給されるＡＣ入力電圧の低下を検出すると、それをコントローラ部に通知し、ハードディスクドライブへのアクセス動作を停止している。
【０００４】
また、特許文献２では、ＡＣ電源断時の割込みにより制御装置がディスクインターフェース部の状態をリセットし、外部記憶装置のディスクコントローラがインターフェースのリセット状態を識別し、書き込み中の１アクセス単位のデータをＤＣ電圧保証時間内にエラーチェックコードを付加してハードディスクに書き込むようにしている。
【０００５】
また、特許文献３では、出力電圧のデジタル値が目標値未満の時に、ＡＣ電源が遮断されてコンバータの入力直流電圧が低下してもうすぐ出力電圧が低下すると判断し、不揮発性メモリへの新たなデータの書き込みを行わないようにしている。
【０００６】
また、特許文献４では、交流電源１の瞬時電圧のディジタル値が所定の閾値以上のとき出力し、この出力波形の立ち下がりから立ち上がりの期間が第１の時限値を超えると、瞬停と判断してメイン業務を中断している。
【先行技術文献】
【特許文献】
【０００７】
【特許文献１】特開２００５−３５２２７号公報
【特許文献２】特開平６−０５１８７９号公報
【特許文献３】特開２００２−２８３６６１号公報
【特許文献４】特開平１１−５１９８５号公報
【発明の概要】
【発明が解決しようとする課題】
【０００８】
ＣＰＵ及びハードディスクに電源を供給している低圧電源で瞬停が生じると、低圧電源の電圧は徐々に低下する。ハードディスクは、低圧電源の電圧が４Ｖ程度まで低下すると動作が不安定になり、４Ｖを大きく下回ると動作を停止する。ハードディスクの動作が停止すると瞬停の回復時に初期動作が行われるが、動作が不安定な状態では初期動作が行われず、ＣＰＵと通信できない恐れがあった。
【０００９】
しかしながら、特許文献１では、電圧低下時にハードディスクへのアクセスが停止されるだけでハードディスクの動作が停止しないので、電圧回復後にハードディスクの動作が不安定となる恐れがあった。また、特許文献２，３でも、ハードディスクへのデータ書込中の電源断から物理セクタを保護してデータ損失を抑えているにすぎず、電圧低下後にハードディスクの動作が不安定となる恐れがあった。また、特許文献４では、停電検出時に生じる発振を防止するために、交流電圧の瞬時値の絶対値が設定値以下になった時間の長さに応じて瞬時停電および停電を検出しているにすぎず、停電に伴いハードディスクの動作が不安定なるのを防止できなかった。
【００１０】
本発明は斯かる課題に鑑みてなされたもので、上記課題を解決できる記憶装置、画像形成装置、ハードディスクの瞬停による異常の検出方法、ハードディスクの瞬停による異常回復方法を提供することを目的とする。
【課題を解決するための手段】
【００１１】
このような目的を達成するために、本発明の記憶装置は、
ＣＰＵと、該ＣＰＵと通信を行うハードディスクとを備え、該ハードディスクに低圧電源から電圧が供給される記憶装置であって、
前記低圧電源の電圧を検知する電圧検知手段と、
該電圧検知手段で検知した電圧が前記ＣＰＵのリセット電圧より高い所定電圧を下回った時刻を記憶する電圧低下時刻計測手段と、
前記低圧電源の電圧が正規の電圧に回復した時刻を記憶する電圧回復時刻計測手段と、
前記電圧低下時刻計測手段で記憶された時刻から前記電圧回復時刻計測手段で記憶された時刻までの時間が予め定めた第１の閾値から予め定めた第２の閾値の範囲内であると前記ハードディスクが異常であると判別するハードディスク異常判別手段とを備えることを特徴とする。
また、本発明は、
前記ハードディスク異常判別手段が前記ハードディスクが異常であると判別すると、前記ハードディスクに電源再投入を行う電源再投入手段を備えることを特徴とする。
また、本発明のハードディスクの瞬停による異常を検出方法は、
ＣＰＵと通信を行うハードディスクの瞬停による異常を検出方法であって、
前記ハードディスクに供給される低圧電源の電圧を検知する電圧検知ステップと、
該電圧検知ステップで検知した電圧が前記ＣＰＵのリセット電圧より高い所定電圧を下回った時刻を記憶する電圧低下時刻計測ステップと、
前記低圧電源の電圧が正規の電圧に回復した時刻を記憶する電圧回復時刻計測ステップと、
前記電圧低下時刻計測ステップで記憶された時刻から前記電圧回復時刻計測ステップで記憶された時刻までの時間が予め定めた第１の閾値から予め定めた第２の閾値の範囲内であると前記ハードディスクが異常であると判別するハードディスク異常判別ステップとを備えることを特徴とする。
本発明のハードディスクの瞬停による異常回復方法は、
ＣＰＵと通信を行うハードディスクの瞬停による異常回復方法であって、
該ハードディスクに供給される低圧電源の電圧を検知する電圧検知ステップと、
該電圧検知ステップで検知した電圧が前記ＣＰＵのリセット電圧より高い所定電圧を下回った時刻を記憶する電圧低下時刻計測ステップと、
前記低圧電源の電圧が正規の電圧に回復した時刻を記憶する電圧回復時刻計測ステップと、
前記電圧低下時刻計測ステップで記憶された時刻から前記電圧回復時刻計測ステップで記憶された時刻までの時間が予め定めた第１の閾値から予め定めた第２の閾値の範囲内であると前記ハードディスクが異常であると判別するハードディスク異常判別ステップと、
該ハードディスク異常判別ステップで前記ハードディスクが異常であると判別すると、前記ハードディスクに電源再投入を行う電源再投入ステップとを備えることを特徴とする。
【発明の効果】
【００１２】
本発明によれば、ハードディスクの瞬停による異常の検出、及び、異常の発生したハードディスクの回復が自動的に行われるので、瞬停によりハードディスクにアクセスできなくなるのを防止できる。
【図面の簡単な説明】
【００１３】
【図１】本発明の一実施形態の画像形成装置を示す概略図である。
【図２】図１の画像形成装置の回路構成の概略を示すブロック図である。
【図３】ハードディスクの異常回復処理と低圧電源の電圧との関係を示す図である。
【発明を実施するための形態】
【００１４】
＜実施の形態＞
〔画像形成装置１の構成〕
まず、図１を参照して、本発明の実施の形態に係る画像形成装置１の構成について詳しく説明する。
図１によると、本実施の形態の画像形成装置１は、原稿読取部２と、原稿給送部３と、本体部４と、スタックトレイ５と、操作パネル部６（入力手段）とを備えている。
原稿読取部２は、本体部４の上方に配設され、原稿給送部３は、原稿読取部２の上方に配設されている。スタックトレイ５は、本体部４に設けられた記録紙の排出口４１側に配設され、また、操作パネル部６は、本体部４のフロント側に配設されている。
【００１５】
原稿読取部２は、スキャナー２１と、プラテンガラス２２と、原稿読取スリット２３とを備える。スキャナー２１は、露光ランプ、及びＣＣＤ(Charge Coupled Device)やＣＭＯＳ（Complementary Metal Oxide Semiconductor）撮像センサ等から構成され、原稿給送部３による原稿の搬送方向に移動可能に構成されている。プラテンガラス２２は、ガラス等の透明部材により構成された原稿台である。原稿読取スリット２３は、原稿給送部３による原稿の搬送方向と直交方向に形成されたスリットを有する。
【００１６】
プラテンガラス２２に載置された原稿を読み取る場合には、スキャナー２１は、プラテンガラス２２に対向する位置に移動され、プラテンガラス２２に載置された原稿を走査しながら原稿を読み取って画像データを取得して、取得した画像データを本体部４の画像形成部７に出力する。
また、原稿給送部３により搬送された原稿を読み取る場合には、スキャナー２１は、原稿読取スリット２３と対向する位置に移動され、原稿読取スリット２３を介し、原稿給送部３による原稿の搬送動作と同期して原稿を読み取って画像データを取得し、取得した画像データを画像形成部７に出力する。
【００１７】
原稿給送部３は、原稿載置部３１と、原稿排出部３２と、原稿搬送機構３３とを備えている。原稿載置部３１に載置された原稿は、原稿搬送機構３３によって、１枚ずつ順に繰り出されて原稿読取スリット２３に対向する位置へ搬送され、その後、原稿排出部３２に排出される。なお、原稿給送部３は、可倒式に構成され、原稿給送部３を上方に持ち上げることで、プラテンガラス２２の上面を開放させることができる。
【００１８】
本体部４は、画像形成部７（画像形成手段）を備えると共に、給紙部４２と、用紙搬送路４３と、搬送ローラー対４４と、排出ローラー対４５とを備えている。給紙部４２は、それぞれサイズ又は向きが異なる記録紙を収納する複数の給紙カセット４２１と、給紙カセット４２１から記録紙を１枚ずつ用紙搬送路４３に繰り出す給紙ローラー４２２とを備えている。
給紙ローラー４２２、搬送ローラー対４４、及び排出ローラー対４５は、搬送部として機能する。記録紙は、この搬送部により搬送される。給紙ローラー４２２によって用紙搬送路４３に繰り出された記録紙は、搬送ローラー対４４によって画像形成部７に搬送される。
そして、画像形成部７によって記録が施された記録紙は、排出ローラー対４５によってスタックトレイ５に排出される。
【００１９】
操作パネル部６は、ＬＣＤ等の表示パネル６１と、スタートキー、テンキー、複写／ＦＡＸ送信／スキャナー等の動作モードの切り換えボタンと、印刷、送信、受信、保存、又は記録に関する指示を行うためのボタンやタッチパネル等とを含む入力部を備えている。つまり、操作パネル部６は、ユーザーによる画像形成装置１のこれらの各種ジョブの指示入力を受け付ける。
また、操作パネル部６は、ユーザーによるパスワード等の認証入力を受け付ける。
【００２０】
画像形成部７は、感光体ドラム７１と、露光部７２と、現像部７３と、転写部７４と、定着装置８とを備えている。露光部７２は、レーザー装置やミラーやレンズ等を備えた光学ユニットであり、画像データに基づいた光を出力して感光体ドラム７１を露光し、感光体ドラム７１の表面に静電潜像を形成する。現像部７３は、トナーを用いて感光体ドラム７１に形成された静電潜像を現像する現像ユニットであり、静電潜像に基づいたトナー像を感光体ドラム７１上に形成させる。
転写部７４は、現像部７３によって感光体ドラム７１上に形成されたトナー像を記録紙に転写させる。定着装置８は、転写部７４によってトナー像が転写された記録紙を加熱してトナー像を記録紙に定着させる。
【００２１】
次に、画像形成装置１の回路構成について説明する。
図２は、画像形成装置１の回路構成を示す概略図である。
画像形成装置１は、画像形成装置１の動作を制御するＣＰＵ１０を備えたメイン基板１１と、ＣＰＵ１０と通信するハードディスク１２と、メイン基板１１に搭載された回路、及び、ハードディスク１２に電源を供給する低圧電源１３とを備えている。メイン基板１１には、ＣＰＵ１０がデータを記憶するフラッシュメモリ１４と、ハードディスク１２に供給される電源を遮断する電圧スイッチ１５とが搭載されている。低圧電源１３には、実効値低下検出回路１６が備えられている。なお、メイン基板１１に搭載された回路に対しては、低圧電源１３とは異なる電源から低圧電源を供給する構成としてもよい。
【００２２】
ＣＰＵ１０は、実効値低下検出回路１６と共に以下のハードディスク１２の瞬停による異常回復処理を実行して、瞬停によるハードディスク１２の異常を検知し、検知した異常を回復する。
【００２３】
以下、画像形成装置１で実行される瞬停によるハードディスク１２の異常回復処理を説明する。
【００２４】
この処理では、実効値低下検出回路１６は、低圧電源１３に瞬停が生じて低圧電源１３の電圧が低下を開始し、更に図３（ａ）に示すように低圧電源１３の電圧が第１の電圧を下回ると、検知信号をメイン基板１１に送信する。第１の電圧は、ＣＰＵ１０のリセット電圧（４．２Ｖ）より高く正規の電圧（５Ｖ）より低い電圧に設定されている。
【００２５】
メイン基板１１では、実効値低下検出回路１６から検知信号が送信されてくると、ＣＰＵ１０がその時刻ｔ１をフラッシュメモリ１４に記憶する。その後、低圧電源１３に供給される電圧がＣＰＵ１０のリセット電圧（４．２Ｖ）を下回り、その後に図３（ａ）に示すように低圧電源１３の電圧が立ち上がってくると、ＣＰＵ１０は、初期動作を行う。画像形成装置１では、ＣＰＵ１０はリセット電圧以下になるとリセットになる。ハードディスク１２はこの電圧ではリセットされず、４Ｖより低い動作停止電圧になると動作を停止し、電圧回復時に初期動作を行うこととなる。ハードディスク１２は、４Ｖ程度まで電圧が低下すると動作が不安定となる。
【００２６】
ＣＰＵ１０は、その後に低圧電源の電圧が正規の電圧（５Ｖ）になると、その時の時刻ｔ２をフラッシュメモリ１４に記憶し、フラッシュメモリ１４に記憶された時刻ｔ１から時刻ｔ２間までの時間Ｔを算出する。続いて、ＣＰＵ１０は、算出した時間Ｔが第１の時間Ｔ１より長く、第２の時間Ｔ２より短いか否かを判別する。第１の時間Ｔ１は数１０ｍｓｅｃ程度、第２の時間Ｔ２は数１００ｍｓｅｃ程度の予め定められた所定の値に定められている。
【００２７】
時刻ｔ１から時刻ｔ２間までの時間Ｔが第１の時間Ｔ１より短い場合には、図３（ａ）に示すように、低圧電源１３の電圧が４Ｖ程度まで低下せずにハードディスク１２の動作が不安定になっている可能性が低いことから、ＣＰＵ１０は、ハードディスク１２に電源再投入を行わず、そのまま処理を終了する。ここで、本実施の形態におけるハードディスク１２は、低圧電源１３が４Ｖ以下になると、正常な動作が保障されないものとする。
【００２８】
算出した時間Ｔが第１の時間（第１の閾値）Ｔ１より長く、第２の時間（第２の閾値）Ｔ２より短いと、図３（ｂ）に示すように低圧電源１３が４Ｖ程度まで下がってはいるものの、ハードディスク１２が動作を停止してはおらず、ハードディスク１２の動作が不安定な状態になっている可能性が高い。このため、ＣＰＵ１０は、ハードディスク１２が異常であると判別し、電圧スイッチ１５を動作させてハードディスク１２に電源再投入を行う。ハードディスク１２に電源再投入が行われることで、不安定となっていたハードディスク１２の動作を正常に戻すことができる。
【００２９】
算出した時間Ｔが第２の時間Ｔ２より長い場合には、図３（ｃ）に示すように低圧電源１３が４Ｖを大きく下回って動作停止電圧より低くなると、ハードディスク１２が動作を停止し、瞬停回復後にハードディスク１２が初期動作を行う状態である可能性が高い。このため、ＣＰＵ１０は、ハードディスク１２に電源再投入を行わず、そのまま処理を終了する。
【００３０】
以上のように構成することで、以下のような効果を得ることができる。
本実施形態によれば、ハードディスク１２の瞬停による異常の検出が自動的に行われ、異常であることが検出されると、自動的に強制的な電源再投入が行われるので、瞬停によりＣＰＵ１０がハードディスク１２にアクセスできなくなるのを防止できる。
【００３１】
また、本実施形態によれば、他の機器の突入電流等の瞬停以外の原因で低圧電源１３の電圧が低下した場合にも、ＣＰＵ１０がハードディスク１２にアクセスできなくなるのを防止できる。
【００３２】
なお、上記実施形態では、実効値低下検出回路１６が低圧電源１３に備えられている場合について説明したが、メイン基板１１に搭載されていてもよい。また、上記実施形態では、第１の時間が数１０ｍｓｅｃ程度，第２の時間が数１００ｍｓｅｃ程度に定められている場合について説明したが、これらの時間はハードディスク１２の動作が不安定になる電圧や、低圧電源１３の変化の仕方に応じて定められ、上記実施形態での時間には限定されない。
【００３３】
また、上記実施の形態の構成及び動作は例であって、本発明の趣旨を逸脱しない範囲で適宜変更して実行することができることは言うまでもない。
【符号の説明】
【００３４】
１  画像形成装置
２  原稿読取部
３  原稿給送部
４  本体部
５  スタックトレイ
６  操作パネル部
７  画像形成部
８  定着装置
１０  ＣＰＵ
１１  メイン基板
１２  ハードディスク
１３  低圧電源
１４  フラッシュメモリ
１５  電圧スイッチ
１６  実効値低下検出回路
２１  スキャナー
２２  プラテンガラス
２３  原稿読取スリット
３１  原稿載置部
３２  原稿排出部
３３  原稿搬送機構
４１  排出口
４２  給紙部
４３  用紙搬送路
４４  搬送ローラー対
４５  排出ローラー対
６１  表示パネル
７１  感光体ドラム
７２  露光部
７３  現像部
７４  転写部
【図１】
0006054322.tif 000002
【図２】
0006054322.tif 000003
【図３】
0006054322.tif 000004